(57)【要約】【課題】実環境におけるグループを構成するメンバのグループ内での役割に関する能力値を算出することを可能にする。【解決手段】活動検出装置６の検出部６１は、対象となるグループを構成するメンバの活動を検出する。グループ活動支援装置１の活動情報取得部１１は、活動検出装置６からメンバの活動を示す活動情報を受信する。役割特徴量算出部１２は、活動情報に基づいて、グループにおけるメンバの役割に関する特徴量を算出する。能力値算出部１３は、特徴量に基づいて、メンバおよび／またはグループの役割に関する能力値を算出する。提示情報生成部１４は、メンバおよび／またはグループの役割に関する能力値を示す提示情報を生成する。提示情報送信部１５は、提示情報をユーザ端末７に送信する。ユーザ端末７の出力部７１は、提示情報を出力する。【選択図】図１
2013182533.tif 000002
【特許請求の範囲】
【請求項１】
グループを構成するメンバの活動を示し、当該活動に付随する情報を含む活動情報を取得する活動情報取得手段と、
前記活動情報に基づいて、前記グループにおける前記メンバの役割に関する特徴量を算出する役割特徴量算出手段と、
前記特徴量に基づいて、前記メンバおよび／または前記グループの前記役割に関する能力値を算出する能力値算出手段と、
前記メンバおよび／または前記グループの前記役割に関する能力値を示す提示情報をユーザに提示する提示手段と、
を備えることを特徴とするグループ活動支援装置。
【請求項２】
前記活動情報取得手段は、
前記メンバが少なくとも１人の他の前記メンバと継続して接触した１回あたりの時間と、接触した前記メンバとを示す情報を含むコミュニケーション情報と、
ファイルを作成した日時と、作成したファイルと、作成した前記メンバとを示す情報を含むファイル情報と、
ファイルを操作した日時と、操作したファイルと、操作した内容と、操作した前記メンバとを示す情報を含むファイル操作情報と、
ファイルをコピーペーストした日時と、コピー元のファイルと、ペースト先のファイルと、ファイルをコピーペーストした前記メンバとを示す情報を含むコピーペースト情報と、
Ｗｅｂサイトにアクセスした日時と、アクセスしたＷｅｂサイトと、Ｗｅｂサイトにアクセスした前記メンバとを示す情報を含むＷｅｂアクセス情報と、
メールの送信日時と、メールを送信した前記メンバと、メールを受信した前記メンバとを示す情報を含むメール送受信情報と、
タスクを受任した日時と、タスクを依頼した前記メンバと、タスクを受任した前記メンバと、タスク間の階層構造とを示す情報を含むタスク情報と、
を取得することを特徴とする請求項１に記載のグループ活動支援装置。
【請求項３】
前記役割特徴量算出手段は、
前記タスク情報に基づいて、前記グループの全ての前記メンバについて、前記メンバが担当者であるタスクの下位にある、該メンバが依頼主であるタスクの数である分割タスク数を算出し、ある前記メンバの前記分割タスク数をグループの前記分割タスク数の最大値で割った値を、その前記メンバのタスク分割指数として算出し、
前記コミュニケーション情報に基づいて、前記グループの全ての前記メンバについて、前記メンバが他の前記メンバに継続して接触した１回あたりの時間の合計を接触した回数で割った平均である接触時間平均を算出し、ある前記メンバの前記接触時間平均を前記グループの前記接触時間平均の最大値で割った値を１から引いた値を、その前記メンバのコミュニケーションスパン逆指数として算出し、
前記コミュニケーション情報に基づいて、前記グループの全ての前記メンバについて、前記メンバが接触した他の前記メンバを重複せずに数えた値である接触メンバユニーク数を算出し、ある前記メンバの前記接触メンバユニーク数を前記グループの前記接触メンバユニーク数の最大値で割った値を、その前記メンバのＦ２Ｆコミュニケーションハブ指数として算出し、
前記メール送受信情報に基づいて、前記グループの全ての前記メンバについて、前記メンバが受信したメールの送信元および該メンバが送信したメールの受信先の和集合から、該メンバがメールを送受信したメンバを重複せずに数えた値である送受信メンバユニーク数を算出し、ある前記メンバの前記送受信メンバユニーク数を前記グループの前記送受信メンバユニーク数の最大値で割った値を、その前記メンバのメールコミュニケーションハブ指数として算出し、
前記コミュニケーション情報に基づいて、前記グループの全ての前記メンバについて、前記メンバが他の前記メンバと接触した回数である接触回数を算出し、ある前記メンバの前記接触回数を前記グループの前記接触回数の最大値で割った値を、その前記メンバのＦ２Ｆコミュニケーション指数として算出し、
前記メール送受信情報に基づいて、前記グループの全ての前記メンバについて、前記メンバが送受信したメール数である送受信メール数を算出し、ある前記メンバの前記送受信メール数を前記グループの前記送受信メール数の最大値で割った値を、その前記メンバのメールコミュニケーション指数として算出し、
前記ファイル情報に基づいて、前記グループの全ての前記メンバについて、前記メンバがファイルを作成した回数であるファイル作成回数を算出し、ある前記メンバの前記ファイル作成回数を前記グループの前記ファイル作成回数の最大値で割った値を、その前記メンバのファイル作成指数として算出し、
前記ファイル情報および前記ファイル操作情報に基づいて、前記グループの全ての前記メンバについて、前記メンバが他の前記メンバの作成したファイルを閲覧した回数である閲覧回数を算出し、ある前記メンバの前記閲覧回数を前記グループの前記閲覧回数の最大値で割った値を、その前記メンバのファイルチェック指数として算出し、
前記ファイル情報および前記コピーペースト情報に基づいて、前記グループの全ての前記メンバについて、前記メンバが他の前記メンバの作成したファイルもしくはその一部をコピーペーストした回数であるコピーペースト回数を算出し、ある前記メンバの前記コピーペースト回数を前記グループの前記コピーペースト回数の最大値で割った値を、その前記メンバの引用指数として算出し、
前記ファイル情報および前記ファイル操作情報に基づいて、前記グループの全ての前記メンバについて、前記メンバが作成したファイルに対して他の前記メンバが編集した回数である被編集回数を算出する。ある前記メンバの前記被編集回数を前記グループの前記被編集回数の最大値で割った値を１から引いた値を、その前記メンバのファイル修正逆指数として算出し、
前記タスク情報に基づいて、前記グループの全ての前記メンバについて、前記メンバが担当者のタスクであって、そのタスクが他の前記メンバが担当者のタスクの下位タスクとなるタスクの数である下位タスク数を算出し、ある前記メンバの前記下位タスク数を前記グループの前記下位タスク数の最大値で割った値を、その前記メンバのタスク支援指数として算出し、
前記タスク情報に基づいて、前記グループの全ての前記メンバについて、前記メンバが担当者であるタスクと上位タスクを同じくするタスクの数である上位共通タスク数を算出し、ある前記メンバの前記上位共通タスク数を前記グループの前記上位共通タスク数の最大値で割った値を、その前記メンバのタスク協力指数として算出し、
前記ファイル情報および前記コピーペースト情報に基づいて、前記グループの全ての前記メンバについて、前記メンバが作成したファイルもしくはその一部を他の前記メンバにコピーペーストされた回数である被コピーペースト回数を算出し、ある前記メンバの前記被コピーペースト回数を前記グループの前記被コピーペースト回数の最大値で割った値を、その前記メンバの被引用指数として算出し、
前記Ｗｅｂアクセス情報に基づいて、前記グループの全ての前記メンバについて、前記メンバが初めてアクセスしたＷｅｂサイトについて、その後に該Ｗｅｂサイトにアクセスした他の前記メンバを重複せずに数えた値であるアクセスメンバユニーク数を算出し、ある前記メンバの前記アクセスメンバユニーク数を前記グループの前記アクセスメンバユニーク数の最大値で割った値を、その前記メンバの情報伝播指数として算出し、
前記ファイル操作情報に基づいて、前記グループの全ての前記メンバについて、前記メンバがファイルを閲覧した直後に該ファイルが編集された回数である閲覧編集回数を算出し、前記メンバの前記閲覧編集回数を前記グループの前記閲覧編集回数の最大値で割った値を、その前記メンバの修正依頼指数として算出し、
前記ファイル情報に基づいて、ある前記メンバが作成した各ファイル内に存在する文書内のすべての単語について、逆文書頻度を算出し、その最大値をその前記メンバのユニーク指数として算出する、
ことを特徴とする請求項２に記載のグループ活動支援装置。
【請求項４】
前記役割は、Implementer、Coordinator、Monitor evaluator、Complete finisher、Team worker、Resource investigator、Shaper、PlantおよびSpecialistであって、
前記能力値算出手段は、所定の計算式に前記タスク分割指数、前記被引用指数および前記情報伝播指数を代入し、前記メンバの前記Implementerに関する能力値を算出し、所定の計算式に前記Ｆ２Ｆコミュニケーションハブ指数、前記メールコミュニケーションハブ指数、前記Ｆ２Ｆコミュニケーション指数、前記メールコミュニケーション指数および前記ファイル作成指数を代入し、前記メンバの前記Coordinatorに関する能力値を算出し、所定の計算式に前記ファイルチェック指数および前記修正依頼指数を代入し、前記メンバの前記Monitor evaluatorに関する能力値を算出し、所定の計算式に前記ファイル引用指数および前記ファイル修正逆指数を代入し、前記メンバの前記Complete finisherに関する能力値を算出し、所定の計算式に前記タスク支援指数、前記タスク協力指数、前記Ｆ２Ｆコミュニケーションハブ指数および前記メールコミュニケーションハブ指数を代入し、前記メンバの前記Team workerに関する能力値を算出し、所定の計算式に前記被引用指数および前記情報伝播指数を代入し、前記メンバの前記Resource investigatorに関する能力値を算出し、所定の計算式に前記コミュニケーションスパン逆指数を代入し、前記メンバの前記Shaperに関する能力値を算出し、所定の計算式に前記ファイル作成指数および前記引用指数を代入し、前記メンバの前記Plantに関する能力値を算出し、所定の計算式に前記ユニーク指数を代入し、前記メンバの前記Specialistに関する能力値を算出する、
ことを特徴とする請求項３に記載のグループ活動支援装置。
【請求項５】
前記能力値算出手段は、前記グループの前記役割に関する能力値として、前記メンバの前記役割に関する能力値の平均値を算出することを特徴とする請求項１ないし４のいずれか１項に記載のグループ活動支援装置。
【請求項６】
前記能力値算出手段は、前記グループの前記役割に関する能力値として、前記メンバの前記役割に関する能力値の最大値を算出することを特徴とする請求項１ないし４のいずれか１項に記載のグループ活動支援装置。
【請求項７】
グループを構成するメンバの活動を検出する検出手段を備える活動検出装置と、
前記活動検出装置から、前記グループを構成する前記メンバの活動を示し、当該活動に付随する情報を含む活動情報を取得する活動情報取得手段、
前記活動情報に基づいて、前記グループにおける前記メンバの役割に関する特徴量を算出する役割特徴量算出手段、
前記特徴量に基づいて、前記メンバおよび／または前記グループの前記役割に関する能力値を算出する能力値算出手段、および、
前記メンバおよび／または前記グループの前記役割に関する能力値を示す提示情報をユーザ端末に送信する提示情報送信手段、
を有するグループ活動支援装置と、
前記グループ活動支援装置から受信した前記提示情報を出力する出力手段を備える前記ユーザ端末と、
を備えることを特徴とするグループ活動支援システム。
【請求項８】
活動検出装置が実行する
グループを構成するメンバの活動を検出する検出ステップと、
グループ活動支援装置が実行する
前記活動検出装置から、前記グループを構成する前記メンバの活動を示し、当該活動に付随する情報を含む活動情報を取得する活動情報取得ステップと、
前記活動情報に基づいて、前記グループにおける前記メンバの役割に関する特徴量を算出する役割特徴量算出ステップと、
前記特徴量に基づいて、前記メンバおよび／または前記グループの前記役割に関する能力値を算出する能力値算出ステップと、
前記メンバおよび／または前記グループの前記役割に関する能力値を示す提示情報をユーザ端末に送信する提示情報送信ステップと、
前記ユーザ端末が実行する
前記グループ活動支援装置から受信した前記提示情報を出力する出力ステップと、
を備えることを特徴とするグループ活動支援方法。
【請求項９】
コンピュータを、
グループを構成するメンバの活動を示し、当該活動に付随する情報を含む活動情報を取得する活動情報取得手段、
前記活動情報に基づいて、前記グループにおける前記メンバの役割に関する特徴量を算出する役割特徴量算出手段、
前記特徴量に基づいて、前記メンバおよび／または前記グループの前記役割に関する能力値を算出する能力値算出手段、および、
前記メンバおよび／または前記グループの前記役割に関する能力値を示す提示情報をユーザに提示する提示手段、
として機能させることを特徴とするプログラム。
【発明の詳細な説明】
【技術分野】
【０００１】
本発明は、グループに属するメンバの活動を支援するグループ活動支援装置、グループ活動支援システム、グループ活動支援方法およびプログラムに関する。
【背景技術】
【０００２】
知識創造社会へ向けて、新たな価値創造のために組織の枠に囚われない活動が盛んになってきている。組織や部門を越えたプロジェクトなどが実施されることも多く、これからさらに増加すると予想される。そのような組織横断のプロジェクトでは、役割分担が明示的でなく、各メンバが自律的に自分の担うべき役割を考えて行動することが多い。したがって、各メンバの役割は時々刻々と変化する可能性がある。そのため、リーダーまたはグループメンバは、グループ全体が望ましい状態にあるのかを把握することが難しく、グループの活動を改善するための方法を検討することが困難である。
【０００３】
グループ活動に関する代表的なモデルとしてBelbin Team Roles（非特許文献１)がある。Belbin Team Rolesでは、チームメンバの役割を９つに類型化し、メンバに質問紙を回答させることによって、各メンバがどの役割を担っているかを算出し、チーム全体の活動としてパフォーマンスが高まるようにメンバの役割やメンバ構成を検討する方法が開示されている。
【０００４】
特許文献１には、組織に属するメンバ同士の対面コミュニケーションを切り口とし、組織の状態、下位組織の状態、個人の状態を分析するための可視化方法が開示されている。特許文献２には、あらかじめ記憶された社員のスキルを示すスキルデータベースから個人の技術レベルを抽出して図示化するスキル管理システムが開示されている。
【０００５】
特許文献３には、個人やグループについて、収集した活動情報と入力した活動主観評価から活動情報を活動主観評価に写像する活動評価モデルを算出し、活動評価モデルによって新たな活動情報から活動主観評価を算出する知的生産性評価装置が開示されている。特許文献４には、タスク毎にメンバの責任分担を細分化、明確化し、責任分担に基づき迅速且つ適切な情報の伝達を行えるタスク管理装置が開示されている。
【先行技術文献】
【特許文献】
【０００６】
【特許文献１】特開２００９−００９３５５号公報
【特許文献２】特開２００７−２４１６７３号公報
【特許文献３】特開２０１１−１７５４７９号公報
【特許文献４】特開２０１１−１９２０７８号公報
【非特許文献】
【０００７】
【非特許文献１】“Team Roles at Work”, Oxford: Butterworth-Heinemann.
【発明の概要】
【発明が解決しようとする課題】
【０００８】
しかしながら、Belbin Team Rolesのような質問紙を用いたアプローチでは、メンバが９つの役割のうちいずれの性質を持つかを算出することはできるが、実際にプロジェクトを推進していく場合、様々な影響因子が存在し、性質通りの能力を発揮するとは限らないため、実環境における各メンバの役割に関する能力値を算出することができない。また、特許文献１〜４の技術は、実環境におけるグループのメンバの役割に関する能力値を算出するものではない。
【０００９】
本発明は、上述のような事情に鑑みてなされたもので、実環境におけるグループを構成するメンバのグループ内での役割に関する能力値を算出することができるグループ活動支援装置、グループ活動支援システム、グループ活動支援方法およびプログラムを提供することを目的とする。
【課題を解決するための手段】
【００１０】
本発明の第１の観点に係るグループ活動支援装置は、
グループを構成するメンバの活動を示し、当該活動に付随する情報を含む活動情報を取得する活動情報取得手段と、
前記活動情報に基づいて、前記グループにおける前記メンバの役割に関する特徴量を算出する役割特徴量算出手段と、
前記特徴量に基づいて、前記メンバおよび／または前記グループの前記役割に関する能力値を算出する能力値算出手段と、
前記メンバおよび／または前記グループの前記役割に関する能力値を示す提示情報をユーザに提示する提示手段と、
を備えることを特徴とする。
【００１１】
本発明の第２の観点に係るグループ活動支援システムは、
グループを構成するメンバの活動を検出する検出手段を備える活動検出装置と、
前記活動検出装置から、前記グループを構成する前記メンバの活動を示し、当該活動に付随する情報を含む活動情報を取得する活動情報取得手段、
前記活動情報に基づいて、前記グループにおける前記メンバの役割に関する特徴量を算出する役割特徴量算出手段、
前記特徴量に基づいて、前記メンバおよび／または前記グループの前記役割に関する能力値を算出する能力値算出手段、および、
前記メンバおよび／または前記グループの前記役割に関する能力値を示す提示情報をユーザ端末に送信する提示情報送信手段、
を有するグループ活動支援装置と、
前記グループ活動支援装置から受信した前記提示情報を出力する出力手段を備える前記ユーザ端末と、
を備えることを特徴とする。
【００１２】
本発明の第３の観点に係るグループ活動支援方法は、
活動検出装置が実行する
グループを構成するメンバの活動を検出する検出ステップと、
グループ活動支援装置が実行する
前記活動検出装置から、前記グループを構成する前記メンバの活動を示し、当該活動に付随する情報を含む活動情報を取得する活動情報取得ステップと、
前記活動情報に基づいて、前記グループにおける前記メンバの役割に関する特徴量を算出する役割特徴量算出ステップと、
前記特徴量に基づいて、前記メンバおよび／または前記グループの前記役割に関する能力値を算出する能力値算出ステップと、
前記メンバおよび／または前記グループの前記役割に関する能力値を示す提示情報をユーザ端末に送信する提示情報送信ステップと、
前記ユーザ端末が実行する
前記グループ活動支援装置から受信した前記提示情報を出力する出力ステップと、
を備えることを特徴とする。
【００１３】
本発明の第４の観点に係るプログラムは、コンピュータを、
グループを構成するメンバの活動を示し、当該活動に付随する情報を含む活動情報を取得する活動情報取得手段、
前記活動情報に基づいて、前記グループにおける前記メンバの役割に関する特徴量を算出する役割特徴量算出手段、
前記特徴量に基づいて、前記メンバおよび／または前記グループの前記役割に関する能力値を算出する能力値算出手段、および、
前記メンバおよび／または前記グループの前記役割に関する能力値を示す提示情報をユーザに提示する提示手段、
として機能させることを特徴とする。
【発明の効果】
【００１４】
本発明によれば、実環境におけるグループを構成するメンバのグループ内での役割に関する能力値を算出することができる。
【図面の簡単な説明】
【００１５】
【図１】本発明の実施の形態に係るグループ活動支援システムの構成例を示すブロック図である。
【図２】コミュニケーション情報の一例を示す図である。
【図３】ファイル情報の一例を示す図である。
【図４】ファイル操作情報の一例を示す図である。
【図５】コピーペースト情報の一例を示す図である。
【図６】Ｗｅｂアクセス情報の一例を示す図である。
【図７】メール送受信情報の一例を示す図である。
【図８】タスク情報の一例を示す図である。
【図９】提示情報の一例を示す図である。
【図１０】実施の形態に係るグループ活動支援の動作の一例を示すフローチャートである。
【図１１】実施の形態に係るグループ活動支援装置のハードウェア構成例を示すブロック図である。
【発明を実施するための形態】
【００１６】
以下に、発明を実施するための形態について図面を参照して詳細に説明する。なお、図中同一または相当する部分には同じ符号を付す。
【００１７】
図１は、本発明の実施の形態に係るグループ活動支援システムの構成例を示すブロック図である。実施の形態のグループ活動支援システム１００は、グループ活動支援装置１と、活動検出装置６と、ユーザ端末７とから構成されている。活動検出装置６およびユーザ端末７とグループ活動支援装置１とは、ネットワークを介して相互に通信可能である。活動検出装置６および／またはユーザ端末７は、グループ活動支援装置１の一部であるか、または附属の装置の場合がある。また、活動検出装置６およびユーザ端末７はそれぞれ、代表して１台で図示するが、２台以上がネットワークに接続される場合がある。
【００１８】
活動検出装置６は、グループのメンバの活動を検出する検出部６１を備える。たとえば、メンバがＰＣ（Personal Computer）で行った作業を検出する場合には、ＰＣ操作モニタリングツール、メールモニタリングツールなどのソフトウェアが検出部６１に相当する。ＲＦタグを用いてメンバの位置から入退室などの活動を検出する場合には、ＲＦタグリーダが検出部６１に相当する。活動検出装置６は、検出部６１が検出したメンバの活動を示す活動情報をグループ活動支援装置１に送信する。
【００１９】
なお、メンバの位置を検出するには、他に、ＧＰＳ（Global Positioning System）を利用する方法や、移動体通信の基地局で受信する電界強度に基づいて位置を算出する方法を用いることができる。また、オフィスや倉庫などのさまざまな所にカメラを設置しておき、画像認識技術等を用いて、人や物の位置を示す情報を取得してもよい。
【００２０】
活動情報は、メンバの活動を示す情報以外に、該活動に付随する情報を含む。活動情報の例としては、ファイルの作成、Ｗｅｂサイトの閲覧、メールの送受信、添付ファイルの保存、メンバ同士の接触などのメンバの活動を示す情報と、これらの活動に付随する、ファイル作成者、ファイル閲覧者、ファイル作成日時、メール送信者、メール受信者、メール送信日時、接触者、接触日時などの情報とがあげられる。活動情報の詳細は後述する。
【００２１】
ユーザ端末７は、活動検出装置６から受信する提示情報をユーザに提示する出力部７１を備える。出力部７１は、提示情報を表示する画面や音声出力するスピーカなどで構成される。ユーザは、たとえば、対象のグループの活動状況を管理する必要のあるマネージャや、グループを構成するメンバ本人など、各メンバのグループ内での各役割の能力値や、グループ全体の各役割の能力値を把握すべき人物である。提示情報の詳細は後述する。
【００２２】
ユーザ端末７は、ユーザが能力値を算出する対象の期間を入力する入力部を備えてもよい。この場合、ユーザ端末７は、ユーザが入力した対象の期間を示す情報をグループ支援装置１に送信する。
【００２３】
グループ活動支援装置１は、活動情報取得部１１、役割特徴量算出部１２、能力値算出部１３、提示情報生成部１４および提示情報送信部１５を備える。
【００２４】
活動情報取得部１１は、活動検出装置６から活動情報を受信する。活動情報取得部１１は、受信した活動情報を役割特徴量算出部１２に送る。前述のように、ユーザ端末７が入力部を備える場合には、活動情報取得部１１は、ユーザ端末７からユーザが入力した対象の期間を示す情報を受信し、役割特徴量算出部１２に送る。
【００２５】
ここで、図２〜図７を用いて、活動情報取得部１１が取得する活動情報について説明する。本実施の形態では、活動情報は、コミュニケーション情報、ファイル情報、ファイル操作情報、コピーペースト情報、Ｗｅｂアクセス情報、メール送受信情報およびタスク情報である。
【００２６】
図２は、コミュニケーション情報の一例を示す図である。コミュニケーション情報は、メンバ同士の接触を示し、接触を開始した日時を示す「開始日時」と、接触を終了した日時を示す「終了日時」と、少なくとも２人のメンバが継続して接触した１回あたりの時間を示す「長さ」と、接触したメンバを示す「メンバ」とで構成される。図２のコミュニケーション情報では、たとえば、メンバＡとメンバＢは、２０１１年９月２０日の０９：００〜０９：３０の間、接触している。メンバ同士が接触しているか否かの判断は、たとえば、メンバの位置を示す情報に基づいて、特定のエリア（会議室など）に同時刻にいることや、メンバが移動して相手メンバの所定の範囲内に接近したこと、電話やテレビ電話、チャットなどで会話を行ったことなどから判断する。電話やテレビ電話などの通話の場合は、回線がつながると接触を開始したと判断し、回線が切れると接触が終了したと判断する。チャットなどの文字情報のリアルタイムな交換の場合は、メッセージが入力されて、相手のメンバが返信すると接触を開始したと判断し、最後のメッセージの入力から所定の時間が経過すると接触が終了したと判断する。
【００２７】
図３は、ファイル情報の一例を示す図である。ファイル情報は、メンバが作成したファイルを示し、ファイルを作成した日時を示す「作成日時」と、作成したファイルの名称を示す「ファイル名」と、作成したメンバを示す「メンバ」と、ファイルの内容を示す「コンテンツ」とで構成される。図３のファイル情報では、たとえば、メンバＡが２０１１年９月２０日の０９：００に、サンプル１．ｔｘｔというファイルを作成しており、その内容は、「このサンプルは、・・・」という文書である。
【００２８】
図４は、ファイル操作情報の一例を示す図である。ファイル操作情報は、メンバが操作したファイルを示し、ファイルの操作を実行した日時を示す「実行日時」と、操作したファイルの名称を示す「ファイル名」と、操作した内容を示す「操作」と、操作したメンバを示す「メンバ」とで構成される。図４のファイル操作情報では、たとえば、メンバＤが２０１１年９月２０日の１３：００に、プロジェクトＡ提案資料．ｐｐｔというファイルを閲覧している。
【００２９】
図５は、コピーペースト情報の一例を示す図である。コピーペースト情報は、メンバがコピーペーストしたファイルを示し、ファイルをコピーペーストした日時を示す「実行日時」と、コピー元のファイルの名称を示す「コピー元」と、ペースト先のファイルの名称を示す「ペースト先」と、ファイルをコピーペーストしたメンバを示す「メンバ」とで構成される。図５のコピーペースト情報では、たとえば、メンバＣが２０１１年９月２０日の１５：００に、Ｂ研究会報告書．ｄｏｃというファイルをコピーペーストし、Ｃ研究会報告書．ｄｏｃという名前で保存している。
【００３０】
図６は、Ｗｅｂアクセス情報の一例を示す図である。Ｗｅｂアクセス情報は、メンバがアクセスしたＷｅｂサイトを示し、Ｗｅｂサイトにアクセスした日時を示す「アクセス日時」と、アクセスしたＷｅｂサイトのＵＲＬ（Uniform Resource Locator）を示す「ＵＲＬ」と、Ｗｅｂサイトにアクセスしたメンバを示す「メンバ」とで構成される。図６のＷｅｂアクセス情報では、たとえば、メンバＡが２０１１年９月２０日の０９：００に、Ｗｅｂサイト（ｈｔｔｐ：／／ａａａａａ．ｃｏ．ｊｐ）にアクセスしている。
【００３１】
図７は、メール送受信情報の一例を示す図である。メール送受信情報は、メンバ同士のメールの送受信を示し、メールを送信した日時を示す「送信日時」と、メールを送信したメンバを示す「送信元」と、メールを受信したメンバを示す「受信先」とで構成される。図７のメール送受信情報では、たとえば、メンバＡが２０１１年９月２０日の０９：００に、メンバＢおよびメンバＤにメールを送信している。
【００３２】
図８は、タスク情報の一例を示す図である。タスク情報は、メンバが担うタスクを示し、タスクを受任した日時を示す「受任日時」と、タスクの名称を示す「タスク名」と、タスクを依頼したメンバを示す「依頼主」と、タスクを受任したメンバを示す「担当者」と、該タスクの上位タスクを示す「上位タスク」とで構成される。「依頼主」と「担当者」は異なるメンバであるものとする。図８のタスク情報では、たとえば、メンバＥが２０１１年９月２０日の１５：００に、メンバＤからタスクＣを受任している。また、タスクＣの上位タスクはタスクＡであり、タスクＡを実現するためには、タスクＣの実現が必要であることを示す。なお、「上位タスク」に限らず、タスク情報は、該タスクを実現するために必要な下位タスクを示す「下位タスク」の項目を含んでもよい。
【００３３】
図１の役割特徴量算出部１２は、活動情報取得部１１から受け取った所定の期間の活動情報に基づいて、あらかじめ設定されたグループ内での各役割の能力値を算出するための特徴量を算出する。なお、活動情報取得部１１からユーザが入力した対象の期間を示す情報を受け取った場合には、役割特徴量算出部１２は、ユーザが入力した対象の期間の活動情報に基づいて、あらかじめ設定されたグループ内での各役割の能力値を算出するための特徴量を算出する。
【００３４】
本実施の形態では、グループ内での各役割として、前述のBelbin Team Rolesの９つの役割を準用し、Implementer、Coordinator、Monitor evaluator、Complete finisher、Team worker、Resource investigator、Shaper、PlantおよびSpecialistの９つの役割を設定する。これらの名称は、後述する能力値算出部１３が算出する９つの能力値が示すグループ内での各役割を表す。
【００３５】
役割特徴量算出部１２は、これらの役割に関する特徴量として、メンバごとに、活動情報に基づいて、タスク分割指数、コミュニケーションスパン逆指数、Ｆ２Ｆコミュニケーションハブ指数、メールコミュニケーションハブ指数、Ｆ２Ｆコミュニケーション指数、メールコミュニケーション指数、ファイル作成指数、ファイルチェック指数、引用指数、ファイル修正逆指数、タスク支援指数、タスク協力指数、被引用指数、情報伝播指数、修正依頼指数およびユニーク指数を算出する。これらの指数の算出方法の詳細は以下の通りである。
【００３６】
タスク分割指数の算出方法は、まず、タスク情報に基づいて、グループの全てのメンバについて、メンバが担当者であるタスクの下位にある、該メンバが依頼主であるタスクの数（分割タスク数）を算出する。あるメンバの分割タスク数をグループの分割タスク数の最大値で割った値を、そのメンバのタスク分割指数とする。
【００３７】
コミュニケーションスパン逆指数の算出方法は、まず、コミュニケーション情報に基づいて、グループの全てのメンバについて、メンバが他のメンバに継続して接触した１回あたりの時間の合計を接触した回数で割った平均（接触時間平均）を算出する。あるメンバの接触時間平均をグループの接触時間平均の最大値で割った値を１から引いた値を、そのメンバのコミュニケーションスパン逆指数とする。
【００３８】
Ｆ２Ｆコミュニケーションハブ指数の算出方法は、まず、コミュニケーション情報に基づいて、グループの全てのメンバについて、メンバが接触した他のメンバを重複せずに数えた値（接触メンバユニーク数）を算出する。あるメンバの接触メンバユニーク数をグループの接触メンバユニーク数の最大値で割った値を、そのメンバのＦ２Ｆコミュニケーションハブ指数とする。
【００３９】
メールコミュニケーションハブ指数の算出方法は、まず、メール送受信情報に基づいて、グループの全てのメンバについて、メンバが受信したメールの送信元および該メンバが送信したメールの受信先の和集合から、該メンバがメールを送受信したメンバを重複せずに数えた値（送受信メンバユニーク数）を算出する。あるメンバの送受信メンバユニーク数をグループの送受信メンバユニーク数の最大値で割った値を、そのメンバのメールコミュニケーションハブ指数とする。
【００４０】
Ｆ２Ｆコミュニケーション指数の算出方法は、まず、コミュニケーション情報に基づいて、グループの全てのメンバについて、メンバが他のメンバと接触した回数（接触回数）を算出する。あるメンバの接触回数をグループの接触回数の最大値で割った値を、そのメンバのＦ２Ｆコミュニケーション指数とする。
【００４１】
メールコミュニケーション指数の算出方法は、まず、メール送受信情報に基づいて、グループの全てのメンバについて、メンバが送受信したメール数（送受信メール数）を算出する。あるメンバの送受信メール数をグループの送受信メール数の最大値で割った値を、そのメンバのメールコミュニケーション指数とする。
【００４２】
ファイル作成指数の算出方法は、まず、ファイル情報に基づいて、グループの全てのメンバについて、メンバがファイルを作成した回数（ファイル作成回数）を算出する。あるメンバのファイル作成回数をグループのファイル作成回数の最大値で割った値を、そのメンバのファイル作成指数とする。
【００４３】
ファイルチェック指数の算出方法は、まず、ファイル情報およびファイル操作情報に基づいて、グループの全てのメンバについて、メンバが他のメンバの作成したファイルを閲覧した回数（閲覧回数）を算出する。あるメンバの閲覧回数をグループの閲覧回数の最大値で割った値を、そのメンバのファイルチェック指数とする。
【００４４】
引用指数の算出方法は、まず、ファイル情報およびコピーペースト情報に基づいて、グループの全てのメンバについて、メンバが他のメンバの作成したファイルもしくはその一部をコピーペーストした回数（コピーペースト回数）を算出する。あるメンバのコピーペースト回数をグループのコピーペースト回数の最大値で割った値を、そのメンバの引用指数とする。
【００４５】
ファイル修正逆指数の算出方法は、まず、ファイル情報およびファイル操作情報に基づいて、グループの全てのメンバについて、メンバが作成したファイルに対して他のメンバが編集した回数（被編集回数）を算出する。あるメンバの被編集回数をグループの被編集回数の最大値で割った値を１から引いた値を、そのメンバのファイル修正逆指数とする。
【００４６】
タスク支援指数の算出方法は、まず、タスク情報に基づいて、グループの全てのメンバについて、メンバが担当者のタスクであって、そのタスクが他のメンバが担当者のタスクの下位タスクとなるタスクの数（下位タスク数）を算出する。あるメンバの下位タスク数をグループの下位タスク数の最大値で割った値を、そのメンバのタスク支援指数とする。
【００４７】
タスク協力指数の算出方法は、まず、タスク情報に基づいて、グループの全てのメンバについて、メンバが担当者であるタスクと上位タスクを同じくするタスクの数（上位共通タスク数）を算出する。あるメンバの上位共通タスク数をグループの上位共通タスク数の最大値で割った値を、そのメンバのタスク協力指数とする。
【００４８】
被引用指数の算出方法は、まず、ファイル情報およびコピーペースト情報に基づいて、グループの全てのメンバについて、メンバが作成したファイルもしくはその一部を他のメンバにコピーペーストされた回数（被コピーペースト回数）を算出する。あるメンバの被コピーペースト回数をグループの被コピーペースト回数の最大値で割った値を、そのメンバの被引用指数とする。
【００４９】
情報伝播指数の算出方法は、まず、Ｗｅｂアクセス情報に基づいて、グループの全てのメンバについて、メンバが初めてアクセスしたＷｅｂサイトについて、その後に該Ｗｅｂサイトにアクセスした他のメンバを重複せずに数えた値（アクセスメンバユニーク数）を算出する。あるメンバのアクセスメンバユニーク数をグループのアクセスメンバユニーク数の最大値で割った値を、そのメンバの情報伝播指数とする。
【００５０】
修正依頼指数の算出方法は、まず、ファイル操作情報に基づいて、グループの全てのメンバについて、メンバがファイルを閲覧した直後に該ファイルが編集された回数（閲覧編集回数）を算出。あるメンバの閲覧編集回数をグループの閲覧編集回数の最大値で割った値を、そのメンバの修正依頼指数とする。
【００５１】
ユニーク指数の算出方法は、ファイル情報に基づいて、あるメンバが作成した各ファイル内に存在する文書内のすべての単語について、ｉｄｆ（Inverse Document Frequency：逆文書頻度）を算出し、その最大値を、そのメンバのユニーク指数とする。単語の逆文書頻度とは、総ドキュメント数を、該単語が出現するドキュメント数で割った値の対数である。すなわち、逆文書頻度の値が大きいほど、該単語の出現するドキュメントの数は少ない。
【００５２】
役割特徴量算出部１２は、算出した各特徴量を能力値算出部１３に送る。
【００５３】
能力値算出部１３は、活動情報取得部１１から受け取った特徴量に基づいて、各メンバのImplementer、Coordinator、Monitor evaluator、Complete finisher、Team worker、Resource investigator、Shaper、PlantおよびSpecialistの各能力値を算出する。また、能力値算出部１３は、算出した各メンバのそれぞれの役割の能力値の平均値を、グループ全体としての各役割の能力値として算出する。メンバの各能力値の算出方法の詳細は以下の通りである。
【００５４】
Implementerの能力値は、タスク分割指数、被引用指数および情報伝播指数に、合計が５になる正の係数ａ１，ａ２，ａ３をそれぞれ乗算した上で足し合わせて算出する。
【００５５】
Coordinatorの能力値は、Ｆ２Ｆコミュニケーションハブ指数、メールコミュニケーションハブ指数、Ｆ２Ｆコミュニケーション指数およびメールコミュニケーション指数に、合計が５になる正の係数ｂ１，ｂ２，ｂ３，ｂ４をそれぞれ乗算し、ファイル作成指数に負の係数ｂ５を乗算した上で足し合わせて算出する。
【００５６】
Monitor evaluatorの能力値は、ファイルチェック指数および修正依頼指数に、合計が５になる正の係数ｃ１，ｃ２をそれぞれ乗算した上で足し合わせて算出する。
【００５７】
Complete finisherの能力値の算出方法は、ファイル引用指数およびファイル修正逆指数に、合計が５になる正の係数ｄ１，ｄ２をそれぞれ乗算した上で足し合わせて算出する。
【００５８】
Team workerの能力値の算出方法は、タスク支援指数、タスク協力指数、Ｆ２Ｆコミュニケーションハブ指数およびメールコミュニケーションハブ指数に、合計が５になる正の係数ｅ１，ｅ２，ｅ３，ｅ４をそれぞれ乗算した上で足し合わせて算出する。
【００５９】
Resource investigatorの能力値の算出方法は、被引用指数および情報伝播指数に、合計が５になる正係数ｆ１，ｆ２をそれぞれ乗算した上で足し合わせて算出する。
【００６０】
Shaperの能力値の算出方法は、コミュニケーションスパン逆指数に係数ｇ(＝５)を乗算して算出する。
【００６１】
Plantの能力値の算出方法は、ファイル作成指数および引用指数に、合計が５になる係数ｈ１，ｈ２をそれぞれ乗算した上で足し合わせて算出する。
【００６２】
Specialistの能力値の算出方法は、ユニーク指数に係数ｉ(＝５)を乗算して算出する。
【００６３】
各能力値の算出方法における係数の合計は５に限らず、各能力値の算出方法における係数の合計が全て同じであればよい。なお、外資系企業と日本企業や、製造業とサービス業などのように、本発明を適用する組織の体質や風習、事業内容などによって、グループにおける各役割の重要性や顕在性が異なる場合があるので、それぞれの係数は、たとえば、ユーザやメンバの実感や実際の評価に合わせて重み付けして決定するとよい。
【００６４】
役割の能力値の算出方法は、これに限らず、異なる特徴量の組み合わせを用いてもよい。たとえば、Specialistの能力値の算出方法で、ユニーク指数に加えてファイル作成指数を用いてもよい。また、上記の９つの役割以外にも、上記の特徴量の組み合わせで能力値を算出可能な新たな役割を設定してもよい。役割の数は９つに限らない。さらに、活動情報から役割の能力値を算出するための新たな特徴量を算出してもよい。たとえば、ファイル情報およびファイル操作情報に基づいて、グループの全てのメンバについて、メンバが他のメンバの作成したファイルを編集した回数（編集回数）を算出し、あるメンバの編集回数をグループの編集回数の最大値で割った値を、そのメンバのファイル修正指数としてもよい。
【００６５】
能力値算出部１３は、算出した各能力値を提示情報生成部１４に送る。
【００６６】
提示情報生成部１４は、能力値算出部１３から受け取った各役割の能力値に基づいて、メンバ単位、グループ単位の能力値の分布を示す提示情報を生成する。本実施の形態では、各役割の能力値をレーダチャートで表す提示情報を生成する。
【００６７】
提示情報生成部１４は、生成した提示情報を提示情報送信部１５に送る。
【００６８】
提示情報送信部１５は、提示情報生成部１４から受け取った提示情報を、ユーザ端末７に送信する。
【００６９】
図９は、提示情報の一例を示す図である。図９の提示情報は、メンバＡ、メンバＢおよびメンバＣで構成されるグループの各メンバとグループ全体のImplementer、Coordinator、Monitor evaluator、Complete finisher、Team worker、Resource investigator、Shaper、PlantおよびSpecialistの能力値の分布をレーダチャートで表している。図９の例では、グループ全体としての各役割の能力値は、メンバＡ、メンバＢおよびメンバＣの能力値の平均値を用いている。
【００７０】
なお、グループ全体としての各役割の能力値は、各メンバの能力値の平均値に限らず、各メンバの能力値の最大値や、合計値、期待値、中央値など、その他の値を用いてもよい。また、提示情報は、能力値の分布のレーダチャートに限らず、たとえば、棒グラフでもよいし、役割名とその能力値を文字で表示してもよい。
【００７１】
図１０は、実施の形態に係るグループ活動支援の動作の一例を示すフローチャートである。
【００７２】
まず、グループ活動支援装置１の活動情報取得部１１は、活動検出装置６から活動情報を受信する（ステップＳ１１）。活動情報取得部１１は、活動情報を役割特徴量算出部１２に送る。役割特徴量算出部１２は、活動情報取得部１１から受け取った活動情報に基づいて、各特徴量を算出する（ステップＳ１２）。役割特徴量算出部１２は、算出した各特徴量を能力値算出部１３に送る。
【００７３】
能力値算出部１３は、役割特徴量算出部１２から受け取った各特徴量に基づいて、グループ内での各役割の能力値を算出する（ステップＳ１３）。能力値算出部１３は、算出した各役割の能力値を提示情報生成部１４に送る。提示情報生成部１４は、能力値算出部１３から受け取った各役割の能力値を示す提示情報を生成する（ステップＳ１４）。提示情報生成部１４は、生成した提示情報を提示情報送信部１５に送る。提示情報送信部１５は、提示情報生成部１４から受け取った提示情報をユーザ端末７に送信し（ステップＳ１５）、処理を終了する。
【００７４】
以上説明したように本実施の形態のグループ活動支援システム１００によれば、実環境におけるグループを構成するメンバのグループ内での役割に関する能力値を算出することができる。これにより、グループの活動状況を管理するマネージャは、各メンバのグループ内での役割に関する能力値を把握し、たとえば、グループを構成するメンバを変更したり、タスクの割り当てを変更したりするなど、グループでの活動がより円滑に実行できるようにマネジメントすることができる。
【００７５】
また、マネージャは、グループ全体の各役割に関する能力値を把握することで、たとえば、グループの各役割に関する能力値に合ったプロジェクトを実行させることができる。たとえば、短期間で実行しなければいけないプロジェクトの場合には、ImplementerやShaper、Plantなどの能力値が高いグループに任せるとよい。一方、長期的に確実に実行しなければいけないプロジェクトの場合には、Coordinator、やMonitor evaluator、Complete finisherなどの能力値が高いグループに任せるとよい。
【００７６】
さらに、メンバ本人が自分や他のメンバのグループ内での役割に関する能力値を把握することで、意識的にタスクを依頼したり、請け負ったりすることで、グループでの活動をより活性化させることが期待できる。
【００７７】
図１１は、本発明の実施の形態に係るグループ活動支援装置のハードウェア構成の一例を示すブロック図である。グループ活動支援装置１は、図１１に示すように、制御部３１、主記憶部３２、外部記憶部３３、操作部３４、表示部３５、入出力部３６および送受信部３７を備える。主記憶部３２、外部記憶部３３、操作部３４、表示部３５、入出力部３６および送受信部３７はいずれも内部バス３０を介して制御部３１に接続されている。
【００７８】
制御部３１はＣＰＵ（Central Processing Unit）等から構成され、外部記憶部３３に記憶されている制御プログラム３９に従って、グループ活動支援装置１の役割特徴量算出部１２、能力値算出部１３および提示情報生成部１４の各処理を実行する。
【００７９】
主記憶部３２はＲＡＭ（Random-Access Memory）等から構成され、外部記憶部３３に記憶されている制御プログラム３９をロードし、制御部３１の作業領域として用いられる。
【００８０】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、グループ活動支援装置１の処理を制御部３１に行わせるためのプログラムをあらかじめ記憶し、また、制御部３１の指示に従って、このプログラムが記憶するデータを制御部３１に供給し、制御部３１から供給されたデータを記憶する。
【００８１】
操作部３４はキーボードおよびマウスなどのポインティングデバイス等と、キーボードおよびポインティングデバイス等を内部バス３０に接続するインタフェース装置から構成されている。ユーザがグループ活動支援装置１に直接情報を入力する場合は、操作部３４を介して、入力された情報が制御部３１に供給される。図１のユーザ端末７がグループ活動支援装置１に含まれる構成であって、ユーザ端末７が入力部を備える構成の場合は、操作部３４が入力部の場合がある。
【００８２】
表示部３５は、ＣＲＴ（Cathode Ray Tube）またはＬＣＤ（Liquid Crystal Display）などから構成され、ユーザがグループ活動支援装置１に直接情報を入力する場合は、操作画面を表示する。図１のユーザ端末７がグループ活動支援装置１に含まれる構成では、表示部３５が出力部７１の場合がある。
【００８３】
入出力部３６は、シリアルインタフェースまたはパラレルインタフェースから構成されている。入出力部３６は、活動検出装置６やユーザ端末７が附属する装置の場合は、それと接続する。
【００８４】
送受信部３７は、ネットワークに接続する網終端装置または無線通信装置、およびそれらと接続するシリアルインタフェースまたはＬＡＮ（Local Area Network）インタフェースから構成されている。送受信部３７は、ネットワークを介して、活動検出装置６およびユーザ端末７に接続する。送受信部３７は、活動情報取得部１１、提示情報送信部１５として機能する。
【００８５】
図１に示すグループ活動支援装置１の活動情報取得部１１、役割特徴量算出部１２、能力値算出部１３、提示情報生成部１４および提示情報送信部１５の処理は、制御プログラム３９が、制御部３１、主記憶部３２、外部記憶部３３、操作部３４、表示部３５、入出力部３６および送受信部３７などを資源として用いて処理することによって実行する。
【００８６】
その他、前記のハードウェア構成やフローチャートは一例であり、任意に変更および修正が可能である。
【００８７】
制御部３１、主記憶部３２、外部記憶部３３、操作部３４、表示部３５、入出力部３６、送受信部３７、内部バス３０などから構成される業務支援処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するグループ活動支援装置１を構成してもよい。また、インターネット等の通信ネットワーク上のサーバ装置が有する記憶装置に当該コンピュータプログラムを格納しておき、通常のコンピュータシステムがダウンロード等することでグループ活動支援装置１を構成してもよい。
【００８８】
また、グループ活動支援装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００８９】
また、搬送波にコンピュータプログラムを重畳し、通信ネットワークを介して配信することも可能である。たとえば、通信ネットワーク上の掲示板（BBS, Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００９０】
上記の実施形態の一部または全部は、以下の付記のようにも記載されうるが、以下には限られない。
【００９１】
（付記１）
グループを構成するメンバの活動を示し、当該活動に付随する情報を含む活動情報を取得する活動情報取得手段と、
前記活動情報に基づいて、前記グループにおける前記メンバの役割に関する特徴量を算出する役割特徴量算出手段と、
前記特徴量に基づいて、前記メンバおよび／または前記グループの前記役割に関する能力値を算出する能力値算出手段と、
前記メンバおよび／または前記グループの前記役割に関する能力値を示す提示情報をユーザに提示する提示手段と、
を備えることを特徴とするグループ活動支援装置。
【００９２】
（付記２）
前記活動情報取得手段は、
前記メンバが少なくとも１人の他の前記メンバと継続して接触した１回あたりの時間と、接触した前記メンバとを示す情報を含むコミュニケーション情報と、
ファイルを作成した日時と、作成したファイルと、作成した前記メンバとを示す情報を含むファイル情報と、
ファイルを操作した日時と、操作したファイルと、操作した内容と、操作した前記メンバとを示す情報を含むファイル操作情報と、
ファイルをコピーペーストした日時と、コピー元のファイルと、ペースト先のファイルと、ファイルをコピーペーストした前記メンバとを示す情報を含むコピーペースト情報と、
Ｗｅｂサイトにアクセスした日時と、アクセスしたＷｅｂサイトと、Ｗｅｂサイトにアクセスした前記メンバとを示す情報を含むＷｅｂアクセス情報と、
メールの送信日時と、メールを送信した前記メンバと、メールを受信した前記メンバとを示す情報を含むメール送受信情報と、
タスクを受任した日時と、タスクを依頼した前記メンバと、タスクを受任した前記メンバと、タスク間の階層構造とを示す情報を含むタスク情報と、
を取得することを特徴とする付記１に記載のグループ活動支援装置。
【００９３】
（付記３）
前記役割特徴量算出手段は、
前記タスク情報に基づいて、前記グループの全ての前記メンバについて、前記メンバが担当者であるタスクの下位にある、該メンバが依頼主であるタスクの数である分割タスク数を算出し、ある前記メンバの前記分割タスク数をグループの前記分割タスク数の最大値で割った値を、その前記メンバのタスク分割指数として算出し、
前記コミュニケーション情報に基づいて、前記グループの全ての前記メンバについて、前記メンバが他の前記メンバに継続して接触した１回あたりの時間の合計を接触した回数で割った平均である接触時間平均を算出し、ある前記メンバの前記接触時間平均を前記グループの前記接触時間平均の最大値で割った値を１から引いた値を、その前記メンバのコミュニケーションスパン逆指数として算出し、
前記コミュニケーション情報に基づいて、前記グループの全ての前記メンバについて、前記メンバが接触した他の前記メンバを重複せずに数えた値である接触メンバユニーク数を算出し、ある前記メンバの前記接触メンバユニーク数を前記グループの前記接触メンバユニーク数の最大値で割った値を、その前記メンバのＦ２Ｆコミュニケーションハブ指数として算出し、
前記メール送受信情報に基づいて、前記グループの全ての前記メンバについて、前記メンバが受信したメールの送信元および該メンバが送信したメールの受信先の和集合から、該メンバがメールを送受信したメンバを重複せずに数えた値である送受信メンバユニーク数を算出し、ある前記メンバの前記送受信メンバユニーク数を前記グループの前記送受信メンバユニーク数の最大値で割った値を、その前記メンバのメールコミュニケーションハブ指数として算出し、
前記コミュニケーション情報に基づいて、前記グループの全ての前記メンバについて、前記メンバが他の前記メンバと接触した回数である接触回数を算出し、ある前記メンバの前記接触回数を前記グループの前記接触回数の最大値で割った値を、その前記メンバのＦ２Ｆコミュニケーション指数として算出し、
前記メール送受信情報に基づいて、前記グループの全ての前記メンバについて、前記メンバが送受信したメール数である送受信メール数を算出し、ある前記メンバの前記送受信メール数を前記グループの前記送受信メール数の最大値で割った値を、その前記メンバのメールコミュニケーション指数として算出し、
前記ファイル情報に基づいて、前記グループの全ての前記メンバについて、前記メンバがファイルを作成した回数であるファイル作成回数を算出し、ある前記メンバの前記ファイル作成回数を前記グループの前記ファイル作成回数の最大値で割った値を、その前記メンバのファイル作成指数として算出し、
前記ファイル情報および前記ファイル操作情報に基づいて、前記グループの全ての前記メンバについて、前記メンバが他の前記メンバの作成したファイルを閲覧した回数である閲覧回数を算出し、ある前記メンバの前記閲覧回数を前記グループの前記閲覧回数の最大値で割った値を、その前記メンバのファイルチェック指数として算出し、
前記ファイル情報および前記コピーペースト情報に基づいて、前記グループの全ての前記メンバについて、前記メンバが他の前記メンバの作成したファイルもしくはその一部をコピーペーストした回数であるコピーペースト回数を算出し、ある前記メンバの前記コピーペースト回数を前記グループの前記コピーペースト回数の最大値で割った値を、その前記メンバの引用指数として算出し、
前記ファイル情報および前記ファイル操作情報に基づいて、前記グループの全ての前記メンバについて、前記メンバが作成したファイルに対して他の前記メンバが編集した回数である被編集回数を算出する。ある前記メンバの前記被編集回数を前記グループの前記被編集回数の最大値で割った値を１から引いた値を、その前記メンバのファイル修正逆指数として算出し、
前記タスク情報に基づいて、前記グループの全ての前記メンバについて、前記メンバが担当者のタスクであって、そのタスクが他の前記メンバが担当者のタスクの下位タスクとなるタスクの数である下位タスク数を算出し、ある前記メンバの前記下位タスク数を前記グループの前記下位タスク数の最大値で割った値を、その前記メンバのタスク支援指数として算出し、
前記タスク情報に基づいて、前記グループの全ての前記メンバについて、前記メンバが担当者であるタスクと上位タスクを同じくするタスクの数である上位共通タスク数を算出し、ある前記メンバの前記上位共通タスク数を前記グループの前記上位共通タスク数の最大値で割った値を、その前記メンバのタスク協力指数として算出し、
前記ファイル情報および前記コピーペースト情報に基づいて、前記グループの全ての前記メンバについて、前記メンバが作成したファイルもしくはその一部を他の前記メンバにコピーペーストされた回数である被コピーペースト回数を算出し、ある前記メンバの前記被コピーペースト回数を前記グループの前記被コピーペースト回数の最大値で割った値を、その前記メンバの被引用指数として算出し、
前記Ｗｅｂアクセス情報に基づいて、前記グループの全ての前記メンバについて、前記メンバが初めてアクセスしたＷｅｂサイトについて、その後に該Ｗｅｂサイトにアクセスした他の前記メンバを重複せずに数えた値であるアクセスメンバユニーク数を算出し、ある前記メンバの前記アクセスメンバユニーク数を前記グループの前記アクセスメンバユニーク数の最大値で割った値を、その前記メンバの情報伝播指数として算出し、
前記ファイル操作情報に基づいて、前記グループの全ての前記メンバについて、前記メンバがファイルを閲覧した直後に該ファイルが編集された回数である閲覧編集回数を算出し、前記メンバの前記閲覧編集回数を前記グループの前記閲覧編集回数の最大値で割った値を、その前記メンバの修正依頼指数として算出し、
前記ファイル情報に基づいて、ある前記メンバが作成した各ファイル内に存在する文書内のすべての単語について、逆文書頻度を算出し、その最大値をその前記メンバのユニーク指数として算出する、
ことを特徴とする付記２に記載のグループ活動支援装置。
【００９４】
（付記４）
前記役割は、Implementerを含み、
前記能力値算出手段は、所定の計算式に前記タスク分割指数、前記被引用指数および前記情報伝播指数を代入し、前記メンバの前記Implementerに関する能力値を算出することを特徴とする付記３に記載のグループ活動支援装置。
【００９５】
（付記５）
前記役割は、Coordinatorを含み、
前記能力値算出手段は、所定の計算式に前記Ｆ２Ｆコミュニケーションハブ指数、前記メールコミュニケーションハブ指数、前記Ｆ２Ｆコミュニケーション指数、前記メールコミュニケーション指数および前記ファイル作成指数を代入し、前記メンバの前記Coordinatorに関する能力値を算出することを特徴とする付記３または４に記載のグループ活動支援装置。
【００９６】
（付記６）
前記役割は、Monitor evaluatorを含み、
前記能力値算出手段は、所定の計算式に前記ファイルチェック指数および前記修正依頼指数を代入し、前記メンバの前記Monitor evaluatorに関する能力値を算出することを特徴とする付記３ないし５のいずれかに記載のグループ活動支援装置。
【００９７】
（付記７）
前記役割は、Complete finisherを含み、
前記能力値算出手段は、所定の計算式に前記ファイル引用指数および前記ファイル修正逆指数を代入し、前記メンバの前記Complete finisherに関する能力値を算出することを特徴とする付記３ないし６のいずれかに記載のグループ活動支援装置。
【００９８】
（付記８）
前記役割は、Team workerを含み、
前記能力値算出手段は、所定の計算式に前記タスク支援指数、前記タスク協力指数、前記Ｆ２Ｆコミュニケーションハブ指数および前記メールコミュニケーションハブ指数を代入し、前記メンバの前記Team workerに関する能力値を算出することを特徴とする付記３ないし７のいずれかに記載のグループ活動支援装置。
【００９９】
（付記９）
前記役割は、Resource investigatorを含み、
前記能力値算出手段は、所定の計算式に前記被引用指数および前記情報伝播指数を代入し、前記メンバの前記Resource investigatorに関する能力値を算出することを特徴とする付記３ないし８のいずれかに記載のグループ活動支援装置。
【０１００】
（付記１０）
前記役割は、Shaperを含み、
前記能力値算出手段は、所定の計算式に前記コミュニケーションスパン逆指数を代入し、前記メンバの前記Shaperに関する能力値を算出することを特徴とする付記３ないし９のいずれかに記載のグループ活動支援装置。
【０１０１】
（付記１１）
前記役割は、Plantを含み、
前記能力値算出手段は、所定の計算式に前記ファイル作成指数および前記引用指数を代入し、前記メンバの前記Plantに関する能力値を算出することを特徴とする付記３ないし１０のいずれかに記載のグループ活動支援装置。
【０１０２】
（付記１２）
前記役割は、Specialistを含み、
前記能力値算出手段は、所定の計算式に前記ユニーク指数を代入し、前記メンバの前記Specialistに関する能力値を算出することを特徴とする付記３ないし１１のいずれかに記載のグループ活動支援装置。
【０１０３】
（付記１３）
前記能力値算出手段は、前記グループの前記役割に関する能力値として、前記メンバの前記役割に関する能力値の平均値を算出することを特徴とする付記１ないし１２のいずれかに記載のグループ活動支援装置。
【０１０４】
（付記１４）
前記能力値算出手段は、前記グループの前記役割に関する能力値として、前記メンバの前記役割に関する能力値の最大値を算出することを特徴とする付記１ないし１２のいずれかに記載のグループ活動支援装置。
【０１０５】
（付記１５）
グループを構成するメンバの活動を検出する検出手段を備える活動検出装置と、
前記活動検出装置から、前記グループを構成する前記メンバの活動を示し、当該活動に付随する情報を含む活動情報を取得する活動情報取得手段、
前記活動情報に基づいて、前記グループにおける前記メンバの役割に関する特徴量を算出する役割特徴量算出手段、
前記特徴量に基づいて、前記メンバおよび／または前記グループの前記役割に関する能力値を算出する能力値算出手段、および、
前記メンバおよび／または前記グループの前記役割に関する能力値を示す提示情報をユーザ端末に送信する提示情報送信手段、
を有するグループ活動支援装置と、
前記グループ活動支援装置から受信した前記提示情報を出力する出力手段を備える前記ユーザ端末と、
を備えることを特徴とするグループ活動支援システム。
【０１０６】
（付記１６）
活動検出装置が実行する
グループを構成するメンバの活動を検出する検出ステップと、
グループ活動支援装置が実行する
前記活動検出装置から、前記グループを構成する前記メンバの活動を示し、当該活動に付随する情報を含む活動情報を取得する活動情報取得ステップと、
前記活動情報に基づいて、前記グループにおける前記メンバの役割に関する特徴量を算出する役割特徴量算出ステップと、
前記特徴量に基づいて、前記メンバおよび／または前記グループの前記役割に関する能力値を算出する能力値算出ステップと、
前記メンバおよび／または前記グループの前記役割に関する能力値を示す提示情報をユーザ端末に送信する提示情報送信ステップと、
前記ユーザ端末が実行する
前記グループ活動支援装置から受信した前記提示情報を出力する出力ステップと、
を備えることを特徴とするグループ活動支援方法。
【０１０７】
（付記１７）
前記活動情報取得ステップでは、
前記メンバが少なくとも１人の他の前記メンバと継続して接触した１回あたりの時間と、接触した前記メンバとを示す情報を含むコミュニケーション情報と、
ファイルを作成した日時と、作成したファイルと、作成した前記メンバとを示す情報を含むファイル情報と、
ファイルを操作した日時と、操作したファイルと、操作した内容と、操作した前記メンバとを示す情報を含むファイル操作情報と、
ファイルをコピーペーストした日時と、コピー元のファイルと、ペースト先のファイルと、ファイルをコピーペーストした前記メンバとを示す情報を含むコピーペースト情報と、
Ｗｅｂサイトにアクセスした日時と、アクセスしたＷｅｂサイトと、Ｗｅｂサイトにアクセスした前記メンバとを示す情報を含むＷｅｂアクセス情報と、
メールの送信日時と、メールを送信した前記メンバと、メールを受信した前記メンバとを示す情報を含むメール送受信情報と、
タスクを受任した日時と、タスクを依頼した前記メンバと、タスクを受任した前記メンバと、タスク間の階層構造とを示す情報を含むタスク情報と、
を取得することを特徴とする付記１６に記載のグループ活動支援方法。
【０１０８】
（付記１８）
前記役割特徴量算出ステップでは、
前記タスク情報に基づいて、前記グループの全ての前記メンバについて、前記メンバが担当者であるタスクの下位にある、該メンバが依頼主であるタスクの数である分割タスク数を算出し、ある前記メンバの前記分割タスク数をグループの前記分割タスク数の最大値で割った値を、その前記メンバのタスク分割指数として算出し、
前記コミュニケーション情報に基づいて、前記グループの全ての前記メンバについて、前記メンバが他の前記メンバに継続して接触した１回あたりの時間の合計を接触した回数で割った平均である接触時間平均を算出し、ある前記メンバの前記接触時間平均を前記グループの前記接触時間平均の最大値で割った値を１から引いた値を、その前記メンバのコミュニケーションスパン逆指数として算出し、
前記コミュニケーション情報に基づいて、前記グループの全ての前記メンバについて、前記メンバが接触した他の前記メンバを重複せずに数えた値である接触メンバユニーク数を算出し、ある前記メンバの前記接触メンバユニーク数を前記グループの前記接触メンバユニーク数の最大値で割った値を、その前記メンバのＦ２Ｆコミュニケーションハブ指数として算出し、
前記メール送受信情報に基づいて、前記グループの全ての前記メンバについて、前記メンバが受信したメールの送信元および該メンバが送信したメールの受信先の和集合から、該メンバがメールを送受信したメンバを重複せずに数えた値である送受信メンバユニーク数を算出し、ある前記メンバの前記送受信メンバユニーク数を前記グループの前記送受信メンバユニーク数の最大値で割った値を、その前記メンバのメールコミュニケーションハブ指数として算出し、
前記コミュニケーション情報に基づいて、前記グループの全ての前記メンバについて、前記メンバが他の前記メンバと接触した回数である接触回数を算出し、ある前記メンバの前記接触回数を前記グループの前記接触回数の最大値で割った値を、その前記メンバのＦ２Ｆコミュニケーション指数として算出し、
前記メール送受信情報に基づいて、前記グループの全ての前記メンバについて、前記メンバが送受信したメール数である送受信メール数を算出し、ある前記メンバの前記送受信メール数を前記グループの前記送受信メール数の最大値で割った値を、その前記メンバのメールコミュニケーション指数として算出し、
前記ファイル情報に基づいて、前記グループの全ての前記メンバについて、前記メンバがファイルを作成した回数であるファイル作成回数を算出し、ある前記メンバの前記ファイル作成回数を前記グループの前記ファイル作成回数の最大値で割った値を、その前記メンバのファイル作成指数として算出し、
前記ファイル情報および前記ファイル操作情報に基づいて、前記グループの全ての前記メンバについて、前記メンバが他の前記メンバの作成したファイルを閲覧した回数である閲覧回数を算出し、ある前記メンバの前記閲覧回数を前記グループの前記閲覧回数の最大値で割った値を、その前記メンバのファイルチェック指数として算出し、
前記ファイル情報および前記コピーペースト情報に基づいて、前記グループの全ての前記メンバについて、前記メンバが他の前記メンバの作成したファイルもしくはその一部をコピーペーストした回数であるコピーペースト回数を算出し、ある前記メンバの前記コピーペースト回数を前記グループの前記コピーペースト回数の最大値で割った値を、その前記メンバの引用指数として算出し、
前記ファイル情報および前記ファイル操作情報に基づいて、前記グループの全ての前記メンバについて、前記メンバが作成したファイルに対して他の前記メンバが編集した回数である被編集回数を算出する。ある前記メンバの前記被編集回数を前記グループの前記被編集回数の最大値で割った値を１から引いた値を、その前記メンバのファイル修正逆指数として算出し、
前記タスク情報に基づいて、前記グループの全ての前記メンバについて、前記メンバが担当者のタスクであって、そのタスクが他の前記メンバが担当者のタスクの下位タスクとなるタスクの数である下位タスク数を算出し、ある前記メンバの前記下位タスク数を前記グループの前記下位タスク数の最大値で割った値を、その前記メンバのタスク支援指数として算出し、
前記タスク情報に基づいて、前記グループの全ての前記メンバについて、前記メンバが担当者であるタスクと上位タスクを同じくするタスクの数である上位共通タスク数を算出し、ある前記メンバの前記上位共通タスク数を前記グループの前記上位共通タスク数の最大値で割った値を、その前記メンバのタスク協力指数として算出し、
前記ファイル情報および前記コピーペースト情報に基づいて、前記グループの全ての前記メンバについて、前記メンバが作成したファイルもしくはその一部を他の前記メンバにコピーペーストされた回数である被コピーペースト回数を算出し、ある前記メンバの前記被コピーペースト回数を前記グループの前記被コピーペースト回数の最大値で割った値を、その前記メンバの被引用指数として算出し、
前記Ｗｅｂアクセス情報に基づいて、前記グループの全ての前記メンバについて、前記メンバが初めてアクセスしたＷｅｂサイトについて、その後に該Ｗｅｂサイトにアクセスした他の前記メンバを重複せずに数えた値であるアクセスメンバユニーク数を算出し、ある前記メンバの前記アクセスメンバユニーク数を前記グループの前記アクセスメンバユニーク数の最大値で割った値を、その前記メンバの情報伝播指数として算出し、
前記ファイル操作情報に基づいて、前記グループの全ての前記メンバについて、前記メンバがファイルを閲覧した直後に該ファイルが編集された回数である閲覧編集回数を算出し、前記メンバの前記閲覧編集回数を前記グループの前記閲覧編集回数の最大値で割った値を、その前記メンバの修正依頼指数として算出し、
前記ファイル情報に基づいて、ある前記メンバが作成した各ファイル内に存在する文書内のすべての単語について、逆文書頻度を算出し、その最大値をその前記メンバのユニーク指数として算出する、
ことを特徴とする付記１７に記載のグループ活動支援方法。
【０１０９】
（付記１９）
前記役割は、Implementerを含み、
前記能力値算出ステップでは、所定の計算式に前記タスク分割指数、前記被引用指数および前記情報伝播指数を代入し、前記メンバの前記Implementerに関する能力値を算出することを特徴とする付記１８に記載のグループ活動支援方法。
【０１１０】
（付記２０）
前記役割は、Coordinatorを含み、
前記能力値算出ステップでは、所定の計算式に前記Ｆ２Ｆコミュニケーションハブ指数、前記メールコミュニケーションハブ指数、前記Ｆ２Ｆコミュニケーション指数、前記メールコミュニケーション指数および前記ファイル作成指数を代入し、前記メンバの前記Coordinatorに関する能力値を算出することを特徴とする付記１８または１９に記載のグループ活動支援方法。
【０１１１】
（付記２１）
前記役割は、Monitor evaluatorを含み、
前記能力値算出ステップでは、所定の計算式に前記ファイルチェック指数および前記修正依頼指数を代入し、前記メンバの前記Monitor evaluatorに関する能力値を算出することを特徴とする付記１８ないし２０のいずれかに記載のグループ活動支援方法。
【０１１２】
（付記２２）
前記役割は、Complete finisherを含み、
前記能力値算出ステップでは、所定の計算式に前記ファイル引用指数および前記ファイル修正逆指数を代入し、前記メンバの前記Complete finisherに関する能力値を算出することを特徴とする付記１８ないし２１のいずれかに記載のグループ活動支援方法。
【０１１３】
（付記２３）
前記役割は、Team workerを含み、
前記能力値算出ステップでは、所定の計算式に前記タスク支援指数、前記タスク協力指数、前記Ｆ２Ｆコミュニケーションハブ指数および前記メールコミュニケーションハブ指数を代入し、前記メンバの前記Team workerに関する能力値を算出することを特徴とする付記１８ないし２２のいずれかに記載のグループ活動支援方法。
【０１１４】
（付記２４）
前記役割は、Resource investigatorを含み、
前記能力値算出ステップでは、所定の計算式に前記被引用指数および前記情報伝播指数を代入し、前記メンバの前記Resource investigatorに関する能力値を算出することを特徴とする付記１８ないし２３のいずれかに記載のグループ活動支援方法。
【０１１５】
（付記２５）
前記役割は、Shaperを含み、
前記能力値算出ステップでは、所定の計算式に前記コミュニケーションスパン逆指数を代入し、前記メンバの前記Shaperに関する能力値を算出することを特徴とする付記１８ないし２４のいずれかに記載のグループ活動支援方法。
【０１１６】
（付記２６）
前記役割は、Plantを含み、
前記能力値算出ステップでは、所定の計算式に前記ファイル作成指数および前記引用指数を代入し、前記メンバの前記Plantに関する能力値を算出することを特徴とする付記１８ないし２５のいずれかに記載のグループ活動支援方法。
【０１１７】
（付記２７）
前記役割は、Specialistを含み、
前記能力値算出ステップでは、所定の計算式に前記ユニーク指数を代入し、前記メンバの前記Specialistに関する能力値を算出することを特徴とする付記１８ないし２６のいずれかに記載のグループ活動支援方法。
【０１１８】
（付記２８）
前記能力値算出ステップでは、前記グループの前記役割に関する能力値として、前記メンバの前記役割に関する能力値の平均値を算出することを特徴とする付記１６ないし２７のいずれかに記載のグループ活動支援方法。
【０１１９】
（付記２９）
前記能力値算出ステップでは、前記グループの前記役割に関する能力値として、前記メンバの前記役割に関する能力値の最大値を算出することを特徴とする付記１６ないし２７のいずれかに記載のグループ活動支援方法。
【０１２０】
（付記３０）
コンピュータを、
グループを構成するメンバの活動を示し、当該活動に付随する情報を含む活動情報を取得する活動情報取得手段、
前記活動情報に基づいて、前記グループにおける前記メンバの役割に関する特徴量を算出する役割特徴量算出手段、
前記特徴量に基づいて、前記メンバおよび／または前記グループの前記役割に関する能力値を算出する能力値算出手段、および、
前記メンバおよび／または前記グループの前記役割に関する能力値を示す提示情報をユーザに提示する提示手段、
として機能させることを特徴とするプログラム。
【符号の説明】
【０１２１】
１  グループ活動支援装置
６  活動検出装置
７  ユーザ端末
１１  活動情報取得部
１２  役割特徴量算出部
１３  能力値算出部
１４  提示情報生成部
１５  提示情報送信部
３１  制御部
３２  主記憶部
３３  外部記憶部
３４  操作部
３５  表示部
３６  入出力部
３７  送受信部
３９  制御プログラム
６１  検出部
７１  出力部
１００  グループ活動支援システム
【図１】
2013182533.tif 000003
【図２】
2013182533.tif 000004
【図３】
2013182533.tif 000005
【図４】
2013182533.tif 000006
【図５】
2013182533.tif 000007
【図６】
2013182533.tif 000008
【図７】
2013182533.tif 000009
【図８】
2013182533.tif 000010
【図９】
2013182533.tif 000011
【図１０】
2013182533.tif 000012
【図１１】
2013182533.tif 000013